(57)【特許請求の範囲】
【請求項１】
菓子等の内容物の包装用の紙箱であって、上板と側板と底板からなる箱胴部の前記上板に重ね合わされる蓋板を備え、
前記上板には、切り取り線で区画形成された閉鎖板で覆われてこの閉鎖板の引き起こしによる前記切り取り線の破断により開放可能で閉鎖板形状に対応する形状の取出口が設けられていて、
前記蓋板は、蓋板支持部とこの蓋板支持部に折り罫を介して連接されて前記折り罫を中心に回動可能な蓋板本体とからなり、
前記蓋板の蓋板支持部が閉鎖板を除く前記上板に貼り付けられているとともに、蓋板本体が前記閉鎖板に貼り付けられていて、蓋板本体を上板から引き起こす折り罫を中心にした回動で前記切り取り線が破断し前記閉鎖板が引き起こされて前記取出口が開く紙箱において、
前記折り罫は、閉鎖板上であってこの閉鎖板を区画形成する前記切り取り線と交差する位置関係にして配置されて、前記閉鎖板は、前記折り罫との対応部位を境にして引き上げ部と降り部とからなり、
前記引き上げ部の周縁の切り取り線の折り罫近傍位置に、該切り取り線を閉鎖板中心側に向けて凸にした鉤状線部を設けて、この鉤状線部を境にして閉鎖板に鉤状線部の形状に対応した切り欠き部が形成されているとともに、取出口の周辺に連続して鉤状線部の形状に対応した凸部が形成されて、
取出口の前記凸部と閉鎖板の前記切り欠き部とが、蓋板本体を引き起こす開き方向の回動に伴なった閉鎖板の折り罫を中心とした回転により分離可能に設けられ、
前記蓋板本体の蓋板支持部側の辺から蓋板支持部側に突出した突片が、折り罫に連続した切り込みにより切り込み形成されて、該突片は蓋板本体の前記開き方向の回動に伴なって箱内に向けて回り込みして突片の側辺が取出口の降り部対応領域の内縁に当接可能とされ、
蓋板本体を引き起こす開き方向の回動に伴なった前記閉鎖板の前記折り罫を中心とした回転によって、前記凸部と前記切り欠き部とが分離し、折り罫を中心にして閉鎖板の前記降り部が、取出口における引き上げ部対応領域側に向けて回動して、前記降り部が取出口の前記凸部の側縁に対して摺接移動し、折り罫部分の折り戻りにより取出口の降り部対応領域側に向けて回動する降り部と前記凸部との係止と、前記突片の側辺の取出口の降り部対応領域の内縁への当接とにより、閉鎖板を伴なった蓋板本体の起立状態が維持されるように構成されていることを特徴とする紙箱。
【請求項２】
上記突片は、上記閉鎖板の降り部に重なっていて、上記蓋板本体の開き方向の回動に伴なった取出口の降り部対応領域から引き上げ部対応領域側への回動により、前記閉鎖板の降り部を取出口の引き上げ部対応領域側に向けて押圧するものである請求項１に記載の紙箱。
【請求項３】
上記突片は、閉鎖板の降り部の両端部に対応して設けられている請求項１または２に記載の紙箱。
【発明の詳細な説明】
【技術分野】
【０００１】
本発明は、収容物の取出口を開閉する蓋を必要に応じて開状態に維持できるようにした紙容器に関するものである。
【背景技術】
【０００２】
小物品を複数個収納する収納体として取出口を蓋部材で開け閉めする容器が従来から知られている。そして、粒菓子や個包装された菓子を複数個収納して手持ちできる程度の商品形態とした菓子容器などにおいては、収容物を一個ずつ取り出す際、蓋部材に邪魔されることなくその取出口を必要に応じて開放させておけば取り出しが容易になるため、一枚のブランクを組み上げた紙箱において、取出口を開閉可能に覆う蓋板を必要に応じてその起立状態を維持させることができるようにしたものが提案されている。
【０００３】
例えば特許文献１や特許文献２に示されているように、このような包装用の紙箱は、上板と側板と底板からなる箱胴部の両端部分を前記上板、側板、底板に連接されたフラップの重ね合わせで閉じて箱本体を直方体状とし、取出口を位置させた前記上面に蓋板を重ね合わせている。蓋板は取出口を開閉可能に覆うものであり、予め上面に取出口が形成されている紙箱（特許文献２）があるとともに、その上面の取出口を切り取り線で区画形成された閉鎖板で閉鎖しておき、蓋板の引き起こしで切り取り線が破断して蓋板とともに閉鎖板が引き起こされて取出口から分離することで、開いた取出口が形成されるようにした紙箱（特許文献１）もある。
そして、蓋板の起立状態を維持させるべく、その蓋板を上板上面に貼り付けして固定する蓋板支持部とこの蓋板支持部に折り罫を介して連接されてその折り罫を中心に回動可能な蓋板本体とからなるものとしていて、折り罫位置から前記蓋板支持部側に凸の突片を蓋板本体に前記折り罫を介することなく連続して設けている。さらに、蓋板本体を上板から引き起こして折り罫を中心にした開き方向の回動を手作業で行ない、前記突片が上板の上面を押し下げてその上板上で回動しながら取出口側に摺接移動し、蓋板本体が後倒した時点で突片から押し下げを受けなくなった上板が元の位置に戻り、そして、その上板に前記突片が乗って折り罫の位置での折り戻りの作用を受けて前記突片が上板に当接し、手操作で蓋板を閉じ方向に回動させないかぎり突片が移動しないようにすることで、蓋板本体の後倒した状態が保たれることを目的にしたものであった。
【特許文献１】特開平１１−３２１８５５号公報
【特許文献２】特許第３９６０５１４号公報
【発明の開示】
【発明が解決しようとする課題】
【０００４】
しかしながら、上述した従来の紙箱では、蓋板本体を回動させるときに突片の先端が上板上面に摺接するものであることから、程よい力具合いで蓋板を回動でき、かつその蓋板の起立も必要に応じて安定して行なえる紙箱を得ることは、紙厚や紙の硬さ、上板上面の滑り性などの条件も考慮する必要があるので非常に困難である。
そのため、蓋板の回動操作性を或る程度犠牲にして、蓋板の初期開封時には確実に後倒状態が維持できるように突片の長さを長くしているのが現状であるが、蓋板の回動操作を繰り返すと、早期に突片先端が潰れたりその突片が折れ曲がってしまい、蓋板の起立状態が保たれずに取出口側にかぶさって収容物の取り出しに蓋板が邪魔になるという問題が生じていた。
そこで本発明は上記事情に鑑み、蓋板が有する突片を上板上面で摺接させて取出口側に移動させ、その突片を上板上面に突き当てて蓋板の起立状態を保つという手法を採ることなく、必要時にその蓋板の起立状態が維持できるようにすることを課題とし、粒菓子などを取り出す時に蓋板が邪魔になることなく取り扱いが容易な紙箱を得ることを目的とするものである。
【課題を解決するための手段】
【０００５】
本発明は上記課題を考慮してなされたもので、菓子等の内容物の包装用の紙箱であって、上板と側板と底板からなる箱胴部の前記上板に重ね合わされる蓋板を備え、前記上板には、切り取り線で区画形成された閉鎖板で覆われてこの閉鎖板の引き起こしによる前記切り取り線の破断により開放可能で閉鎖板形状に対応する形状の取出口が設けられていて、前記蓋板は、蓋板支持部とこの蓋板支持部に折り罫を介して連接されて前記折り罫を中心に回動可能な蓋板本体とからなり、前記蓋板の蓋板支持部が閉鎖板を除く前記上板に貼り付けられているとともに、蓋板本体が前記閉鎖板に貼り付けられていて、蓋板本体を上板から引き起こす折り罫を中心にした回動で前記切り取り線が破断し前記閉鎖板が引き起こされて前記取出口が開く紙箱において、前記折り罫は、閉鎖板上であってこの閉鎖板を区画形成する前記切り取り線と交差する位置関係にして配置されて、前記閉鎖板は、前記折り罫との対応部位を境にして引き上げ部と降り部とからなり、前記引き上げ部の周縁の切り取り線の折り罫近傍位置に、該切り取り線を閉鎖板中心側に向けて凸にした鉤状線部を設けて、この鉤状線部を境にして閉鎖板に鉤状線部の形状に対応した切り欠き部が形成されているとともに、取出口の周辺に連続して鉤状線部の形状に対応した凸部が形成されて、取出口の前記凸部と閉鎖板の前記切り欠き部とが、蓋板本体を引き起こす開き方向の回動に伴なった閉鎖板の折り罫を中心とした回転により分離可能に設けられ、前記蓋板本体の蓋板支持部側の辺から蓋板支持部側に突出した突片が、折り罫に連続した切り込みにより切り込み形成されて、該突片は蓋板本体の前記開き方向の回動に伴なって箱内に向けて回り込みして突片の側辺が取出口の降り部対応領域の内縁に当接可能とされ、蓋板本体を引き起こす開き方向の回動に伴なった前記閉鎖板の前記折り罫を中心とした回転によって、前記凸部と前記切り欠き部とが分離し、折り罫を中心にして閉鎖板の前記降り部が、取出口における引き上げ部対応領域側に向けて回動して、前記降り部が取出口の前記凸部の側縁に対して摺接移動し、折り罫部分の折り戻りにより取出口の降り部対応領域側に向けて回動する降り部と前記凸部との係止と、前記突片の側辺の取出口の降り部対応領域の内縁への当接とにより、閉鎖板を伴なった蓋板本体の起立状態が維持されるように構成されていることを特徴とする紙箱を提供して、上記課題を解消するものである。
【０００７】
また、本発明において、上記突片は、上記閉鎖板の降り部に重なっていて、上記蓋板本体の開き方向の回動に伴なった取出口の降り部対応領域から引き上げ部対応領域側への回動により、前記閉鎖板の降り部を取出口の引き上げ部対応領域側に向けて押圧するものであるとすることが良好である。
【０００８】
また、本発明において、上記突片は、閉鎖板の降り部の両端部に対応して設けられているものとすることが良好である。
【発明の効果】
【０００９】
（請求項１の発明の効果）
請求項１の発明により、蓋板本体を引き上げる開き方向の回動で閉鎖板の降り部が、取出口の引き上げ部対応領域側に向けて箱内部を回り込むように回動し、降り部が取出口の凸部の側縁に対して摺接移動し、折り罫部分の折り戻りにより取出口の降り部対応領域側に向けて回動する降り部と前記凸部とが係止して、閉鎖板を伴なった蓋板本体の起立状態が維持されるようにしている。
即ち、前記取出口の側辺の凸部が、閉鎖板の折り罫の位置を中心とした回転により取出口の引き上げ部対応領域に移動する降り部に対してその降り部の側辺が係脱可能に係止する位置となっていて、凸部との係止位置を通過移動した降り部が、蓋板本体の折り罫部分の復元力による蓋板本体の閉じ方向の回動により凸部とで係脱可能に係止するものであることから、蓋板本体を引き上げて折り罫部分の折り戻りで降り部を凸部に係止させるという簡単な操作で蓋板本体の起立状態が維持できる。そして、前記降り部が回動するときに凸部と干渉する箇所は、その凸部の極めて面積の小さい側縁だけであるため、降り部に曲がりや潰れが生じ難くなる。さらに凸部自体は、前記折り戻りで戻る降り部に係止さえすればよいものであるため、特に大きくする必要はなく、凸部を必要最小限の大きさのものとすることで、この点からも凸部と摺接するときの降り部の曲がりや潰れを抑えることができる。
【００１０】
本発明ではさらにつぎの効果がある。例えば、菓子箱において、油脂分を含む粒菓子が紙箱に収容される場合もあり、箱内部の内底面や内側面にグラシン紙を配して油脂分が紙箱の包材に移って箱表面側にに染み出るのを防止している。そして、箱内部において収容物にグラシン紙を被せて内天面側にも油脂分が移り込むのを防止することが行なわれている。しかし、紙箱の上板側にグラシン紙が位置すると、その上板にある取出口から収容物を取り出すときにグラシン紙などが邪魔になり、一方、グラシン紙を用いないときには開かれている取出口を覆う蓋板に収容物の油脂分が移り込み易くなる。
また、菓子箱において、箱内面側となる面に耐油性の樹脂からなるコーティングが施された包材を用いて製函し、箱内面に位置したコーティング層により収納物からの油分止めるようにした紙箱もある。しかしながら、箱本体の上板に切り取りミシン目を入れ、その切り取りミシン目の破断によって蓋が開いて取出口が得られるようにした構造の紙箱や、予め開口されている取出口をその上方から蓋板で覆うようにし、蓋板の開きによって取出口が表れるようにした構造の紙箱では、切り取りミシン目におけるカット端面や取出口の内周端面は前記コーティング層が切れた状態となっていてその端面が箱内方に露出した状態となっている。そのため、端面露出部分に上記油脂分が染み込んで、切り取りミシン目の位置から箱外表面に油染みが表れたり、取出口の周囲に油染みが広く広がる可能性がある。
【００１１】
この点に対して、本発明によれば、紙箱の天面部分が、閉鎖板で取出口を閉鎖している上板と蓋板とが重なった二重の構造となっている。そのため、仮に収容物の油脂分が直接上板に移り込んだとしても、上板の上の蓋板までには油脂分の移り込みが進まず、紙箱の外表面に油脂が染み出るのを防止し、上板について切り取り線部分での耐油性樹脂によるコーティング層の切れによる不具合は生じない。また、油脂分の移り込みを抑える別シートを収容物に被せ付ける必要がなくなり、取出口から収容物を取り出すときに、その収容物に被せた別シートが邪魔になるということが無くなる。
【００１２】
また、本発明によれば、蓋板本体に設けた突片が蓋板本体の起立状態のときに降り部対応領域の内縁に当接し合うようにしているので、折り罫部分の折り戻りによる蓋板本体の倒れを抑える上でその抑えを補助するようになり、蓋板本体の起立状態をより一層安定させることができる。
そして、降り部の凸部に対する係止とこの突片の降り部対応領域の内縁に対する当接とで蓋板本体の起立状態を維持するため、前記凸部の降り部に対する係止度合いをそれ程高める必要はなく、凸部自体の突出長さをより短かいものとすることができる。
【００１３】
（請求項２の発明の効果）
また、請求項２の発明により、蓋板本体を開き方向に回動するときに、突片が上記降り部に当てがわれてこの降り部を押圧するため、降り部が上記凸部の側縁に摺接する際に、この凸部の位置を簡単にして確実に通過するようになる。
【００１４】
（請求項３の発明の効果）
また、請求項３の発明により、降り部の両端部を突片の重ね合わせで補強でき、上記凸部との摺接による降り部の曲がりや潰れをより一層防止できる。
【発明を実施するための最良の形態】
【００１５】
つぎに本発明を図１から図６に示す実施の形態に基づいて詳細に説明する。
図中１は紙箱で、該紙箱１は図２に示す一枚のブランクから製函されているものであり、このブランクで示す連接された上板２と側板３と底板４とで箱胴部が形成され、箱長手方向で対向する箱胴部の端部が、箱胴部の前記構成板に連接されたフラップ５の重ね合わせにより閉じられて、粒菓子などの複数個の収納物を収納できる平板状の直方体としている。
図示の例では、箱胴部の一方の端部は、上板２と側板３と底板４とのそれぞれに連接されたフラップ５の重ね合わせで閉じていて、箱胴部のもう一方の端部は、側板３に連接されたフラップ５を折り倒し、底板４に連接されている差し込みタイプのフラップ５を重ね合わせて、その先端を箱胴部内側に差し込むことで閉じている。符号６は胴貼りするための糊代である。
【００１６】
（蓋板）
さらにこの紙箱１では一方の側板３の一部分に蓋板７が連接されて上板２の上面に重ね合わされている。前記蓋板７は、上板２に貼り合わされている蓋板支持部８と、前記蓋板支持部８に折り罫９を介して連接された蓋板本体１０とからなり、前記蓋板支持部８のみが一方の側板３に連接されていて、後述するように蓋板本体１０が折り罫９を中心にして回動できるようにしている。
さらに蓋板本体１０の蓋板支持部８とは反対側の辺には、箱本体の一方の端部（箱胴部の一方の端部）に重ね合わせた貼着片１１が連接されていて、貼着片１１の下辺中央から蓋板本体連接側の辺（上辺）の両端に亘る対の切り取りミシン目で区画された部分を摘み部１２とし、この摘み部１２が上記蓋板本体１０に連接されているとともに、摘み部１２の切り取りミシン目を介して両側に位置する部分が箱本体の一方の端部に貼着されている。
即ち、切り取りミシン目を切断するように貼着片１１から摘み部１２を起こすことで蓋板本体１０のみに連接した摘み部１２となり、この摘み部１２を持ちながら蓋板本体１０を引き上げたり倒したりできる。
【００１７】
（蓋板の突片）
また、この蓋板７における蓋板支持部８と蓋板本体１０との間に位置する上記折り罫９は図示するように不連続であり、箱胴部の長手方向と直交する方向にして蓋板７の側辺側（側板側）と中央側との三ヶ所に位置している。
この折り罫９を中心として後述の回動をする前記蓋板本体１０には、蓋板支持部８側の辺から蓋板支持部８側に向けて突出した突片１３が連続している。この突片１３は前記折り罫９の不連続部分に位置していてその折り罫９に連続した切り込みで切り込み形成されいる。前述のようにこれら二つの突片１３は蓋板本体１０に連続し、かつ折り罫に沿った方向に交差する方向にして蓋板支持部８側に向けて突出しているため、この二つの突片１３が、蓋板本体１０の前記折り罫９を中心とした引き起こす方向での回動（蓋板本体の開き方向の回動）を行なえば、箱本体の内方側に向けて回り込むようにした回動をするようになる。
勿論、蓋板本体１０が上板２側に倒れ込む方向の回動をして倒れれば、上記二つの突片１３は蓋板支持部７と面一になる。
【００１８】
（上板）
箱胴部における上記上板２には、切り取り線１４で略矩形に区画形成された閉鎖板１５を備えていて、この閉鎖板１５の形状に対応した形状にした取出口１６が前記閉鎖板１５で覆われている。即ち、切り取り線１４を破断して前記閉鎖板１５を上板２から、例えば完全に取り外すようにすれば、その閉鎖板１５の形状に対応した開口形状の取出口が得られるようにしているものである。
このように上記上板２は、切り取り線１４で区画形成された閉鎖板１５で閉じられている取出口１６を有していて、上板２の上面側に重ねられた上記蓋板７の蓋板本体１０を引き上げることで、この蓋板本体１０に伴なって前記閉鎖板１５が引き起こされるようにしている。閉鎖板１５が引き起こされるようにするために、まず、突片１３も含めて蓋板支持部８の折り罫９側の近傍領域を上板２に非貼着にし、それ以外の蓋板支持部８を上述したように上板２に貼り合わされている。また、蓋板本体１０は閉鎖板１５のみに貼り合わされていて、上記摘み部１２を貼着片１１から起こし、さらにこの摘み部１２を持って蓋板本体１０を折り罫９を中心にして回動するように引き上げることで、上記切り取り線１４が破断して、閉鎖板１５も折り罫９を中心として回転して引き起こされ、蓋板本体１０が開いて取出口１６が開放される状態となる。
【００１９】
（閉鎖板）
蓋板本体１０の回動に伴なうようにした閉鎖板１５にあっては、蓋板本体１０の引き起こしによる開き方向の回動に際して、この閉鎖板１５の大部分が箱本体の上方に向けて引き起こされるように折り罫９を中心として回転するとともに、残りの一部分が箱本体の内方に向けて回り込むように折り罫９を中心として回転するものとされている。
この折り罫９を中心として閉鎖板１５を回転できるようにするために、閉鎖板１５と折り罫９との位置関係を以下のようにしている。即ち、前記折り罫９は、閉鎖板１５上であって切り取り線１４の箱長さ方向に沿った二線部１４ａと直角に交差する位置関係にして配置されている。そして、前記閉鎖板１５は、前記折り罫９が通る位置に対応した折り罫対応部位ａを境にして蓋板本体１０が重なる引き上げ部１７と蓋板支持部８が重なる降り部１８とに区分される。取出口１６も、前記引き上げ部１７が位置する引き上げ部対応領域１９と、前記降り部１８が位置する降り部対応領域２０とに区分されることになる。
閉鎖板１５における引き上げ部１７は、折り罫対応部位ａ側に蓋板本体１０に対して非接着となる非接着部分２１を有し、この非接着部分２１以外の部分が上述したように蓋板本体１０に接着されている。そのため、前記蓋板本体１０を引き上げて折り罫９を中心にして開き方向に回動すれば、閉鎖板１５の引き上げ部１７の周囲の切り取り線１４が破断してその引き上げ部１７が蓋板本体１０に伴なって引き起こされ、折り罫９を中心として開き方向に回転して取出口１６の引き上げ部対応領域１９が開放される。また、同時に閉鎖板１５の降り部１８の周囲の切り取り線１４が破断し、その降り部１８が、折り罫９を中心にして箱本体の内方側に向けて回り込むように回転する。そして、降り部１８が位置していた取出口１６での降り部対応領域２０が開放された状態となる。
なお、蓋板本体１０を逆方向（閉じ方向）に回動すれば、引き上げ部１７が取出口１６の引き上げ部対応領域１９に位置に戻り、また、降り部１８が取出口１６の降り部対応領域２０の位置に戻って、未開封時と同様に閉鎖板１５によって取出口１６が覆われるようになる。
【００２０】
（切り取り線）
図３に示すように、閉鎖板１５を上板２中で区画している切り取り線１４の内、上記引き上げ部１７の周縁の切り取り線１４の折り罫対応部位ａの近傍位置に、該切り取り線１４を閉鎖板中心側に向けて凸にした鉤状線部２２が設けられている。
そして、上記鉤状線部２２を境にして閉鎖板１５の引き上げ部１７には、該引き上げ部１７の折り罫対応部位ａと直交する辺であって、降り部１８側に近接する位置に前記鉤状線部２２の形状に対応した切り欠き部２３が形成されているとともに、取出口１６の引き上げ部対応領域１９での周辺に連続して鉤状線部２２の形状に対応した凸部２４が形成され、この凸部２４は、引き上げ部対応領域１９の周辺において、折り罫対応部位ａと直交する箇所に近接した位置に形成されている。
切り取り線１４は、切れ目を不連続に並べて線状に配列してなるものであり、上記鉤状線部２２においては切れ目の並びが鉤状であればよいものである。例えば、この鉤状線部２２の位置で一つの切れ目を略レ字状に切り込んでもよい。また、略ヘ字状の切れ目の傾斜部分を閉鎖板中心側に向けて切り込むようにしたものであってもよく、この場合、未開封の時点において上記切り欠き部２３と凸部２４とは一部分において連続した状態となる。勿論、この連続部分は、切り取り線１４での切れ目と切れ目との間の連続部分であり、容易に切断される箇所である。
【００２１】
（蓋板本体の引き上げ）
上述したように閉鎖板１５の引き上げ部１７の周辺となる切り取り線１４とに、その切り取り線１４に直交する折り罫対応部位ａに近傍となる位置にして鉤状線部２２が設けられて、取出口１６における引き上げ部対応領域１９の折り罫対応部位ａと直交する箇所に近接した位置にして、凸部２４が形成されているため、この凸部２４と閉鎖板１５の降り部１８とを係止させることで、以下のように閉鎖板１５を伴なった蓋板本体１０の起立状態を維持し、取出口１６の開放状態を維持できるようにしている。
【００２２】
蓋板本体１０を開いた状態に維持させるためには、上記摘み部１２を持って蓋板本体１０を折り罫９を中心として開き方向に回動させる。この回動に伴なう閉鎖板１５が折り罫９の位置を中心として回転して、閉鎖板１５周囲の切り取り線１４が破断し、閉鎖板１５の上記切り欠き部２３と取出口１６の上記凸部２４とが分離する。また、閉鎖板１５の降り部１８は取出口１６の降り部対応領域２０から離れて箱本体の内部に向けて回り込むように折り罫の位置を中心にして回転する。
さらに蓋板本体１０を蓋板支持部８側に回動させることで、折り罫９の位置を中心にして降り部１８が箱内部に回り込み、取出口１６における引き上げ部対応領域１９側に向けて回動する。前記降り部１８が引き上げ部対応領域１９側に向けて回動する途中で、降り部１８の折り罫対応部位ａの長手方向で対向する側辺２５が凸部２４に接触する。
前記凸部２４の降り部対応領域２０側に臨む側縁は取出口１６の中心側に向けて傾斜していて、降り部１８の側辺２５が前記凸部２４の側縁に対して摺接移動可能に設けられている。そのため降り部１８の側辺２５が凸部２４に接触しても止まることなく、凸部２４に摺接しながら移動してこの凸部２４を乗り越えるようにして取出口１６の引き上げ部対応領域１９側に移動する。このように取出口１６の側辺の凸部２４は、閉鎖板１５の折り罫９の位置を中心とした回転により取出口１６の引き上げ部対応領域１９に移動する前記降り部１８に対してその降り部１８の側辺２５が係脱可能に係止する位置としている。さらに、前記閉鎖板１５の回転に伴なって引き上げ部対応領域１９に移動する降り部１８が、凸部２４との係止位置に達し、その係止位置で摺接を行なってから先に移動する。
【００２３】
そして、蓋板本体１０を回動させている手を離すことで、折り罫部分の折り戻り（蓋板７の折り罫部分の復元力による伸展）により蓋板本体１０は閉じ方向に自然に回動し、この蓋板本体１０に伴なっている閉鎖板１５は折り罫９の位置を中心にして取出口１６を閉じる方向に回転する。このとき、閉鎖板１５の降り部１８は降り部対応領域２０に戻る方向に回転し始めるが、図５に示すように降り部１８の上記側辺２５と上記凸部２４とが係止して、降り部１８の降り部対応領域２０に戻る方向に回転移動が止められる。即ち、凸部２４との係止位置を経た降り部１８は、蓋板本体１０の折り罫部分の復元力による蓋板本体１０の閉じ方向の回動により凸部２４とで係脱可能に係止するものであることから、戻りに際して凸部２４との係止位置で係止する。よって、蓋板本体１０が起立状態で止まり、その起立状態が維持されるようになる。閉鎖板１５の引き上げ部１７も蓋板本体１０に貼り合わされているため、取出口１６での引き上げ部対応領域１９は開放された状態が維持される。
蓋板本体１０を開き方向に回動させる際、その蓋板本体１０を蓋板支持部８側に深く倒し込まなくても、降り部１８が凸部２４の位置を通過した時点の軽い振動が蓋板本体１０を持つ指先に伝わって、蓋板本体１０を開き方向に回動させる操作を止めるタイミングが判り、蓋板本体１０を起立状態にすることが容易に行なえるものとなっている。
【００２４】
蓋板本体１０を閉じる際には、単にこの蓋板本体１０を取出口１６側に倒すように閉じる方向に回動させればよく、二つの凸部２４に側辺２５を係脱可能に係止させている降り部１８は降り部対応領域２０側に向けた回動をすることにより、降り部１８の両側辺２５側の部分が僅かに撓むなどにし、これによって凸部２４との係止が解かれて降り部１８が降り部対応領域２０に戻り、また、引き上げ部１７が引き上げ部体領域１９に戻って、取出口１６に閉鎖板１５が位置して閉じられ、蓋板本体１０によって取出口１６が覆われるようになる。
なお、凸部２４は降り部１８が係脱可能に係止するものであり、この凸部２４それぞれの突出長さ（折り罫対応部位ａ方向に沿った突出長さ）は、蓋板本体１０を閉じ方向に回動操作するときに抵抗を生じさせない突出長さに設定されている。
【００２５】
上記取出口１６の周縁に連続している上記凸部２４は、上述したように折り罫対応部位ａに近接し、その折り罫対応部位ａの長手方向で対向する配置にして設けられている。そして二つの凸部２４それぞれの突出長さが異なっていて（図３参照）。上記降り部１８が凸部２４の側縁に摺接しながら移動する際、突出長さの短かい方の凸部２４に摺接移動している側辺が先にその凸部２４の位置を通過し、その後、突出長さの長い方の凸部２４に摺接移動している側辺がその凸部２４の位置を通過するようにしていて、側辺２５それぞれの凸部位置の通過タイミングを僅かに異ならせることにより、降り部１８全体に折り罫対応部位ａ長手方向でのネジれやズレを生じさ、凸部２４との摺接によって生じる応力が局部に集中しないように分散させている。降り部１８のネジれやズレは蓋板本体１０の開き方向での回動操作時や閉じ方向の回動操作時にも生じるものであり、いずれの場合でも降り部１８に局部的な応力集中が生じないようにしているものである。なお、この二つの凸部２４の突出長さを変える必要は必ずしもない。
【００２６】
（非接着部分）
上述したように閉鎖板１５における引き上げ部１７の折り罫対応部位ａ側に蓋板本体１０に対して貼着していない非接着部分２１を有しており、そして、前記非接着部分２１に連続して閉鎖板１５の降り部１８も上述してきたように蓋板支持部８に対して非接着とされている。このように引き上げ部１７の降り部１８側が蓋板７に対して非接着とされて降り部１８に連続しているため、降り部１８の上記ネジれやズレ（折り罫対応部位長手方向でのズレ）を降り部１８だけで行なわせるものとはしておらず、引き上げ部１７の非接着部分２１となっている部分も含めてネジれやズレを行ない、降り部１８に応力が集中しないようにしている。
【００２７】
（突片の当接）
蓋板本体１０の二つの突片１３は、閉鎖板１５の上記降り部１８の両端部に対応する位置であって、突片１３それぞれの外側辺（蓋板７の辺側）が降り部対応領域２０の内縁の位置に対応している。そして、上述したように蓋板本体１０が開き方向に回動するとき、突片１３それぞれは箱内部に入り込むようにして折り罫９の位置を中心に回動する。この箱内部に向けて回動するときには、図６に示されているように突片１３それぞれの外側縁が、降り部対応領域２０の内縁に摺接する。
さらに蓋板本体１０の開き方向の回動に伴なってこの突片１３それぞれも上記凸部２４に摺接しながらその凸部２４の位置に差し掛かり、上記降り部１８の側辺が凸部２４に係止して蓋板本体１０の起立状態が維持されるように蓋板本体１０が折り罫９の位置での折り戻りによって若干閉じ方向に回動すると、蓋板本体７の折り罫周りと閉鎖板１５の上記非接着部分２１との間がわずかに開き、突片１３それぞれが凸部２４の位置から降り部対応領域２０側に戻る回動をする。そして、降り部対応領域２０に位置した突片１３それぞれの外側辺は、降り部対応領域２０の内縁と当接し合うようになり、この突片１３の外側辺と降り部対応領域２０の内縁との当接によっても蓋板本体１０の閉じ方向の回動を抑え込み、凸部２４と降り部１８との係止による蓋板本体１０の起立状態の維持を補助するようにしている。
なお、蓋板本体１０の閉じ方向に回動させれば、この突片１３の外側辺と降り部対応領域２０の内縁との当接は簡単に解除されるものであり、閉じ方向の回動操作に支障を来たすことがないように設けられている。
【００２８】
（突片による降り部の押し）
上述したように突片１３は上記降り部１８の両端部に対応して設けられていて、蓋板本体１０が閉じた状態であるときには前記降り部１８の両端部に重なっている。そのため、蓋板本体１０の開き方向の回動に伴なって突片１３それぞれが降り部対応領域２０から箱内部側に入り込むようにして引き上げ部対応領域１９側へ回動し、前記降り部１８の両端部が上記凸部２４に接触したときにこの降り部１８の両端部を引き上げ部対応領域１９側に向けて押圧する。これにより降り部１８は凸部２４に摺接しながらも停止することなくその凸部位置を簡単に通過するようになる。
【００２９】
（蓋板本体の閉じ維持）
蓋板本体１０は開き方向や閉じ方向に回動させることができ、開き方向に回動して上述のように閉鎖板１５の降り部１８と取出口１６の凸部２４との係止を行なうという簡単な操作で、蓋板本体の起立状態を維持でき、そして、蓋板本体１０を倒すことで前記係止が解かれて蓋板本体１０を閉じ位置へ戻すことができる。なお、蓋板本体１０の閉じをより確実にするために、例えば上記摘み部１２の一部分を箱本体の端部に設けたスリットにさし込むようにするなどの公知の手法が採用できる。
【図面の簡単な説明】
【００３０】
【図１】本発明に係る紙箱の一例を示す説明図である。
【図２】ブランクにより一例を展開した状態で示す説明図である。
【図３】上板の閉鎖板と切り取り線とを示す説明図である。
【図４】蓋板本体が起立した状態を示す説明図である。
【図５】取出口の凸部と閉鎖板の降り部との係止を示す説明図である。
【図６】突片と降り部対応領域の内縁との係止を示す説明図である。
【符号の説明】
【００３１】
１…紙箱
２…上板
７…蓋板
８…蓋板支持部
９…折り罫
１０…蓋板本体
１３…突片
１４…切り取り線
１４ａ…箱本体長さ方向に沿った線部
１５…閉鎖板
１６…取出口
１７…引き上げ部
１８…降り部
１９…引き上げ部対応領域
２０…降り部対応領域
２１…非接着部分
２２…鉤状線部
２３…切り欠き部
２４…凸部
ａ…折り罫対応部位
【図１】
0004735641.tif 000002
【図２】
0004735641.tif 000003
【図３】
0004735641.tif 000004
【図４】
0004735641.tif 000005
【図５】
0004735641.tif 000006
【図６】
0004735641.tif 000007